(57)【要約】【課題】介護支援対象者に対して最適なケアプランを提供する。【解決手段】情報取得部４１は、複数の介護支援対象者それぞれの入所時の所定の視点における状態を表す番号、退所時の所定の視点における状態を表す番号、および、介護の内容を表すケア情報を取得する。管理部４２は、所定の視点ごとに、入所時および退所時の番号並びにケア情報を管理テーブルに登録して管理する。また、管理部４２は、ユーザによりキーワードとして指定された視点に基づいて、その視点に対応するケア情報のうち、入所時の番号が表す状態より良い状態を表す退所時の番号に対応するケア情報を管理テーブルから検索する。表示制御部４４は、管理部４２による検索結果を出力し、表示させる。本発明は、例えば、ADL向上化支援装置に適用することができる。【選択図】図３
2011013884.tif 000002
【特許請求の範囲】
【請求項１】
複数の介護支援対象者それぞれの介護を受ける前の所定の視点における状態を表す介護前状態情報、前記介護を受けた後の前記所定の視点における状態を表す介護後状態情報、および、前記介護の内容を表すケア情報を取得する取得手段と、
前記所定の視点ごとに、前記介護前状態情報、前記介護後状態情報、および前記ケア情報を管理テーブルに登録して管理する管理手段と、
ユーザによりキーワードとして指定された視点に基づいて、その視点に対応するケア情報のうち、前記介護前状態情報が表す状態より良い状態を表す介護後状態情報に対応するケア情報を前記管理テーブルから検索する検索手段と、
前記検索手段による検索結果を出力する出力手段と
を備える情報処理装置。
【請求項２】
前記管理手段は、前記所定の視点における前記介護前状態情報および前記介護後状態情報、並びに前記ケア情報に対応する介護支援対象者の数を、その所定の視点、介護前状態情報、介護後状態情報、およびケア情報に対応付けて前記管理テーブルに登録して管理する
請求項１に記載の情報処理装置。
【請求項３】
前記出力手段は、前記検索手段により検索されたケア情報を、そのケア情報に対応する前記介護支援対象者の数が多い順に出力する
請求項２に記載の情報処理装置。
【請求項４】
前記管理手段は、前記取得手段により取得された日ごとに前記管理テーブルを管理し、
前記検索手段は、前記ユーザにより指定された視点と期間に基づいて、その視点に対応するケア情報のうち、前記介護前状態情報が表す状態より良い状態を表す介護後状態情報に対応するケア情報を、その期間内の日に対応する管理テーブルから検索する
請求項１に記載の情報処理装置。
【請求項５】
情報処理装置が、
複数の介護支援対象者それぞれの介護を受ける前の所定の視点における状態を表す介護前状態情報、前記介護を受けた後の前記所定の視点における状態を表す介護後状態情報、および、前記介護の内容を表すケア情報を取得する取得ステップと、
前記所定の視点ごとに、前記介護前状態情報、前記介護後状態情報、および前記ケア情報を管理テーブルに登録して管理する管理ステップと、
ユーザによりキーワードとして指定された視点に基づいて、その視点に対応するケア情報のうち、前記介護前状態情報が表す状態より良い状態を表す介護後状態情報に対応するケア情報を前記管理テーブルから検索する検索ステップと、
前記検索ステップの処理による検索結果を出力する出力ステップと
を含む情報処理方法。
【請求項６】
コンピュータに、
複数の介護支援対象者それぞれの介護を受ける前の所定の視点における状態を表す介護前状態情報、前記介護を受けた後の前記所定の視点における状態を表す介護後状態情報、および、前記介護の内容を表すケア情報を取得する取得ステップと、
前記所定の視点ごとに、前記介護前状態情報、前記介護後状態情報、および前記ケア情報を管理テーブルに登録して管理する管理ステップと、
ユーザによりキーワードとして指定された視点に基づいて、その視点に対応するケア情報のうち、前記介護前状態情報が表す状態より良い状態を表す介護後状態情報に対応するケア情報を前記管理テーブルから検索する検索ステップと、
前記検索ステップの処理による検索結果を出力する出力ステップと
を含む処理を実行させるためのプログラム。
【発明の詳細な説明】
【技術分野】
【０００１】
本発明は、情報処理装置、情報処理方法、およびプログラムに関し、特に、介護支援対象者に対して最適なケアプランを提供することができるようにした情報処理装置、情報処理方法、およびプログラムに関する。
【背景技術】
【０００２】
要介護者や要支援者などの介護支援対象者が介護保険のサービスを受ける場合、通常、ケアプラン（介護サービス計画書）を作成する必要がある。このケアプランは、ケアマネージャなどにより作成されるが、各項目に対応する事項を適切な表現を用いた文章で記載する必要があるため、ケアプランの質は、ケアマネージャの知識や経験に大きく影響される。そして、ケアプランの質が悪い場合、介護支援対象者は、適切な介護を受けることが難しくなってしまう。
【０００３】
そこで、ケアプランのニーズ記載欄に記載されるべき様々なニーズのそれぞれに対応する文例と、各ニーズのそれぞれと対をなす援助目標並びに援助内容のそれぞれに対応する文例とを互いに関連づけて記憶しておき、それらのニーズを介護サービス利用者に関する属性に相当する第１のキー（移動、食事、清潔・・等）と介護種別に関する属性に相当する第２のキー（体位変換介護、在位介護、座位見守り介護・・・等）とから絞込み検索し、絞り込み検索されたニーズに対応する文例をケアプランの所定の記載欄に記載するケアプランの作成支援装置がある（例えば、特許文献１参照）。
【先行技術文献】
【特許文献】
【０００４】
【特許文献１】特開２００７−１１５１７０号広報
【発明の概要】
【発明が解決しようとする課題】
【０００５】
しかしながら、このようなケアプランの作成支援装置は、ケアプランに適切な表現を用いた文書を記載するためのものであり、援助内容の選択はケアマネージャ自身の知識や経験に基づいて行われる。そのため、介護支援対象者に最適な援助内容をケアプランに記載することができない場合がある。
【０００６】
本発明は、このような状況に鑑みてなされたものであり、介護支援対象者に対して最適なケアプランを提供することができるようにするものである。
【課題を解決するための手段】
【０００７】
本発明の一側面の情報処理装置は、複数の介護支援対象者それぞれの介護を受ける前の所定の視点における状態を表す介護前状態情報、前記介護を受けた後の前記所定の視点における状態を表す介護後状態情報、および、前記介護の内容を表すケア情報を取得する取得手段と、前記所定の視点ごとに、前記介護前状態情報、前記介護後状態情報、および前記ケア情報を管理テーブルに登録して管理する管理手段と、ユーザによりキーワードとして指定された視点に基づいて、その視点に対応するケア情報のうち、前記介護前状態情報が表す状態より良い状態を表す介護後状態情報に対応するケア情報を前記管理テーブルから検索する検索手段と、前記検索手段による検索結果を出力する出力手段とを備える情報処理装置である。
【０００８】
本発明の一側面の情報処理方法およびプログラムは、本発明の一側面の情報処理装置に対応する。
【０００９】
本発明の一側面においては、複数の介護支援対象者それぞれの介護を受ける前の所定の視点における状態を表す介護前状態情報、介護を受けた後の所定の視点における状態を表す介護後状態情報、および、介護の内容を表すケア情報が取得され、所定の視点ごとに、介護前状態情報、介護後状態情報、およびケア情報が管理テーブルに登録されて管理され、ユーザによりキーワードとして指定された視点に基づいて、その視点に対応するケア情報のうち、介護前状態情報が表す状態より良い状態を表す介護後状態情報に対応するケア情報が管理テーブルから検索され、検索結果が出力される。
【発明の効果】
【００１０】
本発明の一側面によれば、介護支援対象者に対して最適なケアプランを提供することができる。
【図面の簡単な説明】
【００１１】
【図１】本発明を適用したADL向上化支援装置の一実施の形態の概要を示す図である。
【図２】ADL向上化支援装置の構成例を示す図である。
【図３】CPUの機能的構成例を示すブロック図である。
【図４】ADL向上化ノウハウ記入シートの構成例を示す図である。
【図５】ADL向上化ノウハウ記入シートの構成例を示す図である。
【図６】ADL向上化ノウハウ記入シートの構成例を示す図である。
【図７】ADL向上化ノウハウ記入シートの構成例を示す図である。
【図８】管理テーブルの構成例を示す図である。
【図９】ADL向上化支援装置のデータベース更新処理を説明するフローチャートである。
【図１０】ノウハウ検索画面の構成例を示す図である。
【図１１】ADL向上化支援装置の検索処理を説明するフローチャートである。
【発明を実施するための形態】
【００１２】
［ADL向上化支援装置の概要］
図１は、本発明を適用したADL向上化支援装置の一実施の形態の概要を示す図である。
【００１３】
ケアマネージャなどのユーザは、ADL向上化支援装置１０に表示されるADL向上化ノウハウ記入シートに対して、介護支援対象者の情報を入力する。なお、ADL向上化ノウハウ記入シートは、介護支援対象者の生活情報、仕事情報、身体情報、頭脳情報、家族情報、ADL情報、介護の内容を表すケア情報などを介護支援対象者ごとに記入するためのシートである。ADL向上化ノウハウ記入シートの詳細については、後述する図４乃至図７を参照して説明する。
【００１４】
ADL向上化支援装置１０は、ADL向上化ノウハウ記入シートにおいてユーザにより入力された介護支援対象者の情報を管理テーブルに登録して管理する。管理テーブルは、内蔵するノウハウＤＢ１０Ａに記録される。ADL向上化支援装置１０は、ユーザから入力されたキーワードに基づいて、ノウハウＤＢ１０Ａに記録されている管理テーブルから、キーワードに対応するケア情報を検索し、検索されたケア情報を表示（出力）する。
【００１５】
[ADL向上化支援装置の構成例]
図２は、ADL向上化支援装置１０の構成例を示す図である。
【００１６】
図２のADL向上化支援装置１０において、CPU（Central Processing Unit）２１，ROM（Read Only Memory）２２，RAM（Random Access Memory）２３は、バス２４により相互に接続されている。
【００１７】
バス２４には、さらに、入出力インタフェース２５が接続されている。入出力インタフェース２５には、入力部２６、出力部２７、記憶部２８、通信部２９、およびドライブ３０が接続されている。
【００１８】
入力部２６は、キーボード、マウス、マイクロフォンなどよりなる。出力部２７は、ディスプレイ、スピーカなどよりなる。記憶部２８は、ハードディスクや不揮発性のメモリなどにより構成される。記憶部２８の少なくとも一部はノウハウＤＢ１０Ａとして使用される。通信部２９は、ネットワークインタフェースなどよりなる。ドライブ３０は、磁気ディスク、光ディスク、光磁気ディスク、又は半導体メモリなどのリムーバブルメディア３１を駆動する。
【００１９】
以上のように構成されるADL向上化支援装置１０では、CPU２１が、例えば、記憶部２８に記憶されているプログラムを、入出力インタフェース２５およびバス２４を介して、RAM２３にロードして実行することにより、各種の処理が行われる。
【００２０】
CPU２１が実行するプログラムは、例えば、パッケージメディア等としてのリムーバブルメディア３１に記録して提供することができる。また、プログラムは、ローカルエリアネットワーク、インターネット、デジタル衛星放送といった、有線または無線の伝送媒体を介して提供することができる。
【００２１】
ADL向上化支援装置１０では、プログラムは、リムーバブルメディア３１をドライブ３０に装着することにより、入出力インタフェース２５を介して、記憶部２８にインストールすることができる。また、プログラムは、有線または無線の伝送媒体を介して、通信部２９で受信し、記憶部２８にインストールすることができる。その他、プログラムは、ROM２２や記憶部２８に、予めインストールしておくことができる。
【００２２】
図３は、CPU２１の機能的構成例を示すブロック図である。
【００２３】
図３に示すように、CPU２１は、情報取得部４１、管理部４２、キーワード取得部４３、および表示制御部４４により構成される。
【００２４】
情報取得部４１は、出力部２７（図２）にADL向上化ノウハウ記入シートが表示されているときにユーザが入力部２６を操作することにより入力した介護支援対象者の情報を入力部２６から取得する。情報取得部４１は、その介護支援対象者の情報を管理部４２に供給する。
【００２５】
管理部４２は、情報取得部４１から供給される介護支援対象者の情報に基づいて、ノウハウＤＢ１０Ａに登録されている現在の日付に対応する管理テーブルを更新する。また、管理部４２は、キーワード取得部４３から供給されるキーワードに基づいて、管理テーブルからケア情報等を検索し、検索されたケア情報等を表示制御部４４に供給する。
【００２６】
キーワード取得部４３は、ユーザが入力部２６を操作することにより入力したキーワードを入力部２６から取得し、管理部４２に供給する。
【００２７】
表示制御部４４は、管理部４２から供給されるケア情報等に基づいて、検索結果を表示するためのノウハウ検索画面（詳細は後述する）を出力部２７に表示させる。また、表示制御部４４は、記憶部２８に保持されているADL向上化ノウハウ記入シートを読み出し、出力部２７に表示させる。
【００２８】
[ADL向上化ノウハウ記入シートの構成例]
図４乃至図７は、ADL向上化ノウハウ記入シートの構成例を示す図である。
【００２９】
図４乃至図７に示すように、ADL向上化ノウハウ記入シートには、各項目の入力欄が設けられている。具体的には、例えば、図４に示すように、介護支援対象者を特定するための情報を入力するための項目「名前」、「年齢」、「性別」、および「性格」の入力欄や、記入時の情報を入力するための項目「記入者」、および「日付」の入力欄が設けられている。また、図４に示すように、介護支援対象者の生活情報を入力するための項目「現在の生活状況」の入力欄、目標を入力するための項目「利用者の希望」および「家族の希望」の入力欄、介護支援対象者の仕事情報を入力するための項目「前職」の入力欄なども設けられている。
【００３０】
さらに、介護支援対象者の家族情報を入力するための項目「家族構成」の入力欄（図４）、身体情報を入力するための項目「伝達、視力、聴力」の入力欄（図４）や項目「皮膚」の入力欄（図６）、ADL情報を入力するための項目「ADL」の入力欄（図４）なども設けられている。
【００３１】
また、図５に示すように、介護支援対象者のIADL情報を入力するための項目「IADL（家事、服薬等）」の入力欄、排泄情報を入力するための項目「排泄」の入力欄、頭脳情報を入力するための項目「知能・精神状態」の入力欄なども設けられている。
【００３２】
さらに、介護支援対象者の食事情報を入力するための項目「食事、栄養」の入力欄（図６）、ケア情報を入力するための項目「どのような介護を行ったか」（図６や図７）の入力欄なども設けられている。
【００３３】
なお、項目「伝達、視力、聴力」、「ADL」、「IADL（家事、服薬等）」、「排泄」、「知能・精神状態」、「食事、栄養」、および「皮膚」は、さらに詳細項目に分類され、その詳細項目に対応して入力欄が設けられている。この入力欄は、介護施設の入所時、即ち介護を受ける前の情報を入力するための欄と、退所時、即ち介護を受けた後の情報を入力するための欄に分割されている。入所時の欄と出所時の欄には、それぞれ、対応する詳細項目を視点とした介護支援対象者の入所時の状態と出所時の状態を表す情報として番号が入力される。
【００３４】
図４乃至図６では、詳細項目は、「視点」という欄に記述され、その詳細項目に対応する入力欄に入力される番号と情報の関係は、「チェック項目」という欄に記載される。図４乃至図７の例では、番号が小さいほど、その番号に対応する情報が表す介護支援対象者の状態が良い。
【００３５】
例えば、項目「伝達、視力、聴力」の詳細項目「視力」に対応する「チェック項目」という欄には、「１．日常生活に支障がない  ２．形が分かるがはっきり見えない  ３．ほとんど見えない」と記載されている。従って、介護施設に入所したときの介護支援対象者の視力の状態が「形が分かるがはっきり見えない」状態であり、退所したときの介護支援対象者の視力の状態が「日常生活に支障がない」状態である場合、項目「伝達、視力、聴力」の詳細項目「視力」に対応する入所時の入力欄には、「２」が記入され、退所時の入力欄には、「１」が記入される。
【００３６】
また、視力の状態は、３番が表す「ほとんど見えない」より２番が表す「形が分かるがはっきり見えない」の方が良く、２番が表す「形が分かるがはっきり見えない」より１番が表す「日常生活に支障がない」の方が良い。
【００３７】
項目「どのような介護を行ったか」に対応する入力欄は、チェック欄となっている。具体的には、項目「どのような介護を行ったか」は、さらに、介護のカテゴリを表す詳細項目に分類され、その詳細項目は「カテゴリ」という欄に記載される。また、「カテゴリ」という欄に対応して、チェック欄としての「回答」という欄と、カテゴリごとの介護の内容を記載する「介護の内容」という欄とが設けられる。
【００３８】
例えば、項目「どのような介護を行ったか」の詳細項目「機能」に対応する「介護の内容」という欄の上段には、「上肢のリハビリにより食事摂取の自立を目指した。」という介護の内容が記載される。そして、その介護が行われた場合には、その介護の内容に対応する「回答」というチェック欄にチェックが施される。
【００３９】
なお、ADL向上化ノウハウ記入シートに設けられる入力欄は、図４乃至図７に示した入力欄に限定されない。例えば、介護支援対象者の趣味や、介護における注意事項などの入力欄が設けられるようにしてもよい。
【００４０】
また、ADL向上化ノウハウ記入シートに設けられる詳細項目に対応する入力欄は、介護を受ける前の情報を入力するための欄と、介護を受けた後の情報を入力するための欄に分割されればよく、介護を受けた後の情報は、介護施設の退所時の情報でなくてもよい。例えば、介護施設の入所時から所定の期間後の情報であったり、介護施設の入所時から所定の期間ごとの情報であったりしてもよい。
【００４１】
[管理テーブルの構成例]
図８は、管理テーブルの構成例を示す図である。
【００４２】
図８の管理テーブルは、ADL向上化ノウハウ記入シートの記入日、即ち情報取得部４１により情報が取得された日ごとに作成される。管理テーブルでは、項目「視点」、「介護の内容の組み合わせ」、「入所時」、「退所時」、および「介護支援対象者数」に対応して情報が登録される。
【００４３】
項目「視点」に対応する情報としては、ADL向上化ノウハウ記入シートの「視点」という欄に記載されている詳細項目が登録される。また、項目「介護の内容の組み合わせ」に対応する情報としては、ADL向上化ノウハウ記入シートの「介護の内容」に記載されている介護の内容の組み合わせが登録される。
【００４４】
項目「入所時」に対応する情報としては、入所時の入力欄に記載される番号のうち、１以外の番号が登録される。項目「退所時」に対応する情報としては、出力時の入力欄に記載される番号のうち、対応する項目「入所時」に登録されている番号より小さい番号が登録される。
【００４５】
項目「介護支援対象者数」に対応する情報としては、その項目に対応する項目「介護の内容の組み合わせ」に登録されている介護の内容が行われたときに、項目「視点」に登録されている詳細項目の状態が向上した介護支援対象者の数が、入所時の番号および退所時の番号ごとに登録される。
【００４６】
例えば、ADL向上化ノウハウ記入シートの詳細項目「視力」に対応する入所時の入力欄に記載されている数字が「３」であり、退所時の入力欄に記載されている数字が「３」より小さい「２」である場合、ADL向上化支援装置１０は、項目「どのような介護を行ったか」のチェックが施されている「回答」というチェック欄に対応する「介護の内容」という欄に記載の介護の内容の組み合わせを認識する。そして、ADL向上化支援装置１０は、ADL向上化ノウハウ記入シートの記入日の管理テーブルにおいて、その介護の内容の組み合わせ、項目「入所時」の番号３、項目「退所時」の番号「２」、および詳細項目「視力」に対応する項目「介護視点対象者数」に記載の数を１だけインクリメントする。
【００４７】
なお、図８の管理テーブルでは、詳細項目の状態が向上した介護支援対象者の数だけが登録されたが、詳細項目の状態が向上していない介護支援対象者の数も管理するようにしてもよい。また、介護支援対象者の数を管理するのではなく、各介護支援対象者を特定するための情報（名前等）を管理するようにしてもよい。
【００４８】
[ADL向上化支援装置のデータベース更新処理]
図９は、ADL向上化支援装置１０のデータベース更新処理を説明するフローチャートである。このデータベース更新処理は、例えば、出力部２７に表示されるADL向上化ノウハウ記入シートに対して、ユーザが入力部２６を用いて操作を行ったとき開始される。
【００４９】
ステップＳ１１において、情報取得部４１は、入力部２６からユーザの操作に対応する介護支援対象者の情報を取得し、管理部４２に供給する。ステップＳ１２において、管理部４２は、ノウハウＤＢ１０Ａに記録されている管理テーブルのうち、ADL向上化ノウハウ記入シートの記入日、即ち、現在の日付に対応する管理テーブルを選択する。
【００５０】
ステップＳ１３において、管理部４２は、ステップＳ１２で選択された管理テーブルに、入所時の入力欄に記載された番号が退所時の入力欄に記載された番号より大きい入力欄があるかどうかを判定する。
【００５１】
ステップＳ１３で入所時の入力欄に記載された番号が退所時の入力欄に記載された番号より大きいと判定された場合、ステップＳ１４において、管理部４２は、ステップＳ１２で選択された管理テーブルにおいて、その入力欄に対応する詳細項目、ADL向上化ノウハウ記入シートの「回答」というチェック欄にチェックが施された介護の内容の組み合わせ、並びに、入所時および退所時の入力欄に記載された番号に対応する項目「介護支援対象者数」の数を１だけインクリメントし、処理を終了する。
【００５２】
一方、ステップＳ１３で入所時の入力欄に記載された番号が退所時の入力欄に記載された番号以下であると判定された場合、処理は終了する。
【００５３】
[ノウハウ検索画面の構成例]
図１０は、ノウハウ検索画面の構成例を示す図である。
【００５４】
図１０の例では、ノウハウ検索画面の左上部に、検索対象とする登録テーブルに対応するADL向上化ノウハウ記入シートの記入日の期間を指定するためのチェック欄「期間指定」５１、および、その期間の入力欄５２、並びに、全登録テーブルを検索対象とするためのチェック欄「期間指定なし」５３が設けられている。また、ノウハウ検索画面の右上部に、検索実行を指示するための検索実行ボタン５４が設けられている。
【００５５】
さらに、ノウハウ検索画面の中央部には、検索時のキーワードとして設定する詳細項目のチェック欄が表示されるキーワード設定部５５が設けられている。なお、検索時のキーワードとしては、ADL向上化ノウハウ記入シートの「視点」という欄に記載されている全ての詳細項目が設定可能となっており、キーワード設定部５５には、全ての詳細項目のチェック欄が設けられる。また、検索時のキーワードとして複数の詳細項目を設定することも可能である。
【００５６】
ユーザは、入力部２６を用いてチェック欄「期間指定」５１にチェックを施すとともに、期間の入力欄５２に期間を入力するか、または、チェック欄「期間指定なし」５３にチェックを施す。また、ユーザは、入力部２６を用いて、キーワード設定部５５内の検索時のキーワードとして設定する詳細項目のチェック欄にチェックを施す。そして、ユーザは、入力部２６を用いて検索実行ボタン５４を操作する。
【００５７】
これにより、期間の入力欄５２に入力された期間内の記入日に対応する登録テーブル、または、全登録テーブルから、キーワード設定部５５内のチェックが施されたチェック欄に対応する詳細項目に対応する介護の内容の組み合わせ、入所時および退所時の番号、並びに介護支援対象者数が検索される。そして、ノウハウ検索画面の下部の検索結果表示部５６に、その検索結果が表示される。
【００５８】
具体的には、検索結果として、項目「順位」、「視点」、「入所時」、「退所時」、「ヒット数」、および「介護の内容」に対応して情報が表示される。項目「順位」に対応する情報は、検索された介護支援対象者数の多い方からの順位である。項目「視点」に対応する情報は、キーワードとして設定されている詳細項目である。項目「入所時」に対応する情報は、検索された入所時の番号であり、項目「退所時」に対応する情報は、検索された退所時の番号である。項目「ヒット数」に対応する情報は、介護支援対象者数であり、項目「介護の内容」に対応する情報は、検索された介護の内容の組み合わせである。
【００５９】
検索結果表示部５６には、検索結果が、順位の高い方、即ち介護支援対象者数の多い方から所定数（例えば、５）だけ表示される。なお、図１０の例では、検索結果の件数が２つであるため、検索結果が２つだけ表示されている。
【００６０】
[ADL向上化支援装置の検索処理の説明]
図１１は、ADL向上化支援装置１０の検索処理を説明するフローチャートである。この検索処理は、例えば、出力部２７に表示されているノウハウ検索画面に対して、ユーザが入力部２６を用いて検索実行ボタン５４を操作したとき開始される。
【００６１】
ステップＳ２１において、管理部４２は、ノウハウ検索画面のチェック欄「期間指定」５１および入力欄５２、または、チェック欄「期間指定なし」５３で指定された期間に対応する管理テーブルをノウハウＤＢ１０Ａから読み出す。具体的には、管理部４２は、チェック欄「期間指定」５１にチェックが施されている場合、そのチェック欄「機関指定」５１に対応する入力欄５２に入力されている期間に含まれる日付に対応する管理テーブルを読み出す。また、管理部４２は、チェック欄「期間指定なし」５３にチェックが施されている場合、全ての管理テーブルを読み出す。
【００６２】
ステップＳ２２において、管理部４２は、読み出された管理テーブル内のキーワードとして設定された視点に対応する介護支援対象者数を検索し、介護の内容の組み合わせ並びに入所時および退所時の番号ごとに加算する。そして、管理部４２は、キーワードとしての視点、介護支援対象者数、介護の内容の組み合わせ、入所時および退所時の番号、並びに、その介護支援対象者数の順位を表示制御部４４に供給する。
【００６３】
ステップＳ２３において、表示制御部４４は、順位の高い順に、順位、キーワードとしての視点、入所時および退所時の番号、介護支援対象者数、並びに介護の内容の組み合わせを、検索結果として検索結果表示部５６に表示させる。そして処理は終了する。
【００６４】
以上のように、ADL向上化支援装置１０は、複数の介護支援対象者それぞれの入所時の各視点における状態を表す番号、退所時の各視点における状態を表す番号、および、ケア情報を取得し、視点ごとに、入所時および退所時の番号、並びにケア情報を管理テーブルに登録して管理し、ユーザによりキーワードとして指定された視点に基づいて、その視点に対応するケア情報のうち、入所時の番号以下の退所時の番号に対応するケア情報を管理テーブルから検索し、検索結果を出力する。
【００６５】
従って、ユーザは、所望の視点における状態の向上に適した介護の内容を容易に把握することができる。その結果、ケアマネージャなどのユーザは、介護支援対象者に対して最適なケアプランを提供することができる。特に、知識や経験の浅いケアマネージャであっても、介護支援対象者に対して最適なケアプランを提供することができる。
【００６６】
なお、本明細書において、プログラム記録媒体に格納されるプログラムを記述するステップは、記載された順序に沿って時系列的に行われる処理はもちろん、必ずしも時系列的に処理されなくとも、並列的あるいは個別に実行される処理をも含むものである。
【００６７】
また、本発明の実施の形態は、上述した実施の形態に限定されるものではなく、本発明の要旨を逸脱しない範囲において種々の変更が可能である。
【符号の説明】
【００６８】
１０  ADL向上化支援装置，  ４１  情報取得部，  ４２  管理部，  ４４  表示制御部
【図１】
2011013884.tif 000003
【図２】
2011013884.tif 000004
【図３】
2011013884.tif 000005
【図４】
2011013884.tif 000006
【図５】
2011013884.tif 000007
【図６】
2011013884.tif 000008
【図７】
2011013884.tif 000009
【図８】
2011013884.tif 000010
【図９】
2011013884.tif 000011
【図１０】
2011013884.tif 000012
【図１１】
2011013884.tif 000013